(57)【要約】【課題】  簡単な構造でコンタクト端子の接点部に相手方コンタクト端子を案内して接触嵌合させることができる基板間接続用コネクタを提供する。【解決手段】  棒状コンタクト端子２を有するプラグケース１が装着されるソケットハウジング３と、このソケットハウジング３に配設され、棒状コンタクト端子２と接触嵌合するクリップ状コンタクト端子４と、棒状コンタクト端子２をクリップ状コンタクト端子４の接点部４ｃに案内する案内部材５とを備え、案内部材５には、互いに対向して上端側へ拡開する傾斜面５ｃを有するガイド部５ｄと、このガイド部５ｄに連設して下端側へ貫通する開口部５ｆを設け、この開口部５ｆの下方にクリップ状コンタクト端子４の接点部４ｃを配設すると共に、ガイド部５ｄをクリップ状コンタクト端子４の一対の弾性舌片４ａの先端の内側に配設した。【選択図】        図１
2006073372.tif 000002
【特許請求の範囲】
【請求項１】
棒状コンタクト端子を有するプラグケースが装着されるソケットハウジングと、このソケットハウジングに配設され、一対の弾性舌片からなり、前記棒状コンタクト端子と接触嵌合するクリップ状コンタクト端子と、前記棒状コンタクト端子を前記クリップ状コンタクト端子の接点部に案内する案内部材とを備え、前記クリップ状コンタクト端子の一対の弾性舌片の先端には開口部が形成されており、前記案内部材には、互いに対向して上端側へ拡開する傾斜面を有するガイド部と、このガイド部に連設して下端側へ貫通する開口部とが設けられ、この開口部の下方に前記クリップ状コンタクト端子の接点部が配設されると共に、前記ガイド部を前記クリップ状コンタクト端子の開口部に配設したことを特徴とする基板間接続用コネクタ。
【請求項２】
前記ソケットハウジングは、複数の前記クリップ状コンタクト端子を有し、前記案内部材を絶縁材で形成すると共に、前記ガイド部及び前記案内部材の開口部を複数一体に形成し、前記案内部材を複数の前記クリップ状コンタクト端子間に跨った状態で配置したことを特徴とする請求項１記載の基板間接続用コネクタ。
【請求項３】
前記ソケットハウジングに、前記クリップ状コンタクト端子を一体形成し、前記クリップ状コンタクト端子の弾性舌片の先端が、前記ソケットハウジングの上面から突出するように形成し、この突出部を前記ソケットハウジングに装着されるプラグケース内に突出して配置するようにしたことを特徴とする請求項１、又は２記載の基板間接続用コネクタ。
【請求項４】
前記案内部材は、前記クリップ状コンタクト端子の一対の弾性舌片の先端側から装着されて、前記ソケットハウジングの上面側に取り付けられることを特徴とする請求項１乃至３の何れかに記載の基板間接続用コネクタ。
【発明の詳細な説明】
【技術分野】
【０００１】
本発明は、電子機器などの回路基板対回路基板の接続に使用する基板間接続用コネクタの構造に関する。
【背景技術】
【０００２】
従来の基板間接続用コネクタの構造としては、雄側コネクタハウジングと、これに係止される複数個の雄型端子とからなる雄コネクタと、雌側コネクタハウジングと、これに係止され各々が個々の雄型端子と接触嵌合する弾性舌片を先端部に有する複数個の雌型端子とからなる雌コネクタとにより構成されたものが知られている（例えば、特許文献１参照）。
【０００３】
以下、従来の基板間接続用コネクタの構造を図に基づいて説明する。
図８は従来の基板間接続用コネクタの雄型端子と雌型端子の嵌合状態を示す断面図、図９は従来の雌型端子の先端断面図である。
【０００４】
図において、雌型端子２１は、その弾性舌片３１の先端部に形成された面付けテーパー延長部３１ａの先端外側面３１ｂが、弾性舌片３１の変位時にその撓み角を考慮して棒状雄型端子２３の挿入方向に対して平行になるように、且つ、弾性舌片３１の雄型端子受け口部の長さＥが減少せず、また弾性舌片３１の変位量が定められているときに、すなわち雌型端子挿入窓口１１ａの幅Ｗ２’が定められているときに、従来の一対の弾性舌片の両先端間の距離である雄型端子受け口の幅Ｇに比べ、一対の弾性舌片３１、３１の両先端間の距離である雄型端子受け口の幅Ｇ’の方が広くなるように形成されている。
【０００５】
このため、雄型端子２３の雌型端子２１への挿入時に、雄型端子２３の先端の振れ量が大きな場合に対しても、コネクタの挿入嵌合時に弾性舌片３１、３１の先端間の雄型端子受け口部によって確実に雄型端子が受け止められる。
さらに、雄型端子２３により弾性舌片３１の先端が変位したとき、弾性舌片３１の先端の雄型端子受け口部の長さＥが減少せず、且つ、コネクタハウジング１１の雌型端子挿入窓口１１ａの内壁１１ｂと干渉しない条件で弾性舌片３１の変位量を最大とすることができるものとなっている。
【０００６】
【特許文献１】特許第３１１４６７８号公報
【発明の開示】
【発明が解決しようとする課題】
【０００７】
しかしながら、上述した従来の基板間接続用コネクタの構造においては、雄側のコンタクトの挿入角度に応じて雌側のコンタクトの先端部分にテーパー延長部を設ける必要があり、このテーパー延長部を形成するのには、その設定が容易ではなく、大変な労力を要するという問題があった。
【０００８】
したがって、本発明では上述した問題点を解決し、案内部材でコンタクト端子の先端を位置決めすることにより簡単な構造でコンタクト端子の接点部に相手方コンタクト端子を案内して接触嵌合させることができる基板間接続用コネクタを提供することを目的とする。
【課題を解決するための手段】
【０００９】
上記課題を解決するために本発明では第１の解決手段として、棒状コンタクト端子を有するプラグケースが装着されるソケットハウジングと、このソケットハウジングに配設され、一対の弾性舌片からなり、前記棒状コンタクト端子と接触嵌合するクリップ状コンタクト端子と、前記棒状コンタクト端子を前記クリップ状コンタクト端子の接点部に案内する案内部材とを備え、前記クリップ状コンタクト端子の一対の弾性舌片の先端には開口部が形成されており、前記案内部材には、互いに対向して上端側へ拡開する傾斜面を有するガイド部と、このガイド部に連設して下端側へ貫通する開口部とが設けられ、この開口部の下方に前記クリップ状コンタクト端子の接点部が配設されると共に、前記ガイド部を前記クリップ状コンタクト端子の開口部に配設した構成とした。
【００１０】
また、第２の解決手段として、前記ソケットハウジングは、複数の前記クリップ状コンタクト端子を有し、前記案内部材を絶縁材で形成すると共に、前記ガイド部及び前記案内部材の開口部を複数一体に形成し、前記案内部材を複数の前記クリップ状コンタクト端子間に跨った状態で配置した構成とした。
また、第３の解決手段として、前記ソケットハウジングに、前記クリップ状コンタクト端子を一体形成し、前記クリップ状コンタクト端子の弾性舌片の先端が、前記ソケットハウジングの上面から突出するように形成し、この突出部を前記ソケットハウジングに装着されるプラグケース内に突出して配置するようにした構成とした。
また、第４の解決手段として、前記案内部材は、前記クリップ状コンタクト端子の一対の弾性舌片の先端側から装着されて、前記ソケットハウジングの上面側に取り付けられる構成とした。
【発明の効果】
【００１１】
上述したように、本発明の基板間接続用コネクタは、棒状コンタクト端子を有するプラグケースが装着されるソケットハウジングと、このソケットハウジングに配設され、一対の弾性舌片からなり、棒状コンタクト端子と接触嵌合するクリップ状コンタクト端子と、棒状コンタクト端子をクリップ状コンタクト端子の接点部に案内する案内部材とを備え、クリップ状コンタクト端子の一対の弾性舌片の先端には開口部が形成されており、案内部材には、互いに対向して上端側へ拡開する傾斜面を有するガイド部と、このガイド部に連設して下端側へ貫通する開口部とが設けられ、この開口部の下方にクリップ状コンタクト端子の接点部が配設されると共に、ガイド部をクリップ状コンタクト端子の開口部に配設したことから、プラグケースの棒状コンタクト端子と接触嵌合されるクリップ状コンタクト端子の開口部に、傾斜面を有するガイド部が設けられた案内部材を配置したので、案内部材にガイドされた棒状コンタクト端子は、確実にクリップ状コンタクト端子の接点部間に案内されるため、確実な接触嵌合が得られる。
【００１２】
また、ソケットハウジングは、複数のクリップ状コンタクト端子を有し、案内部材を絶縁材で形成すると共に、ガイド部及び案内部材の開口部を複数一体に形成し、案内部材を複数の前記クリップ状コンタクト端子間に跨った状態で配置したことから、複数のクリップ状コンタクト端子に、複数のガイド部及び開口部を一体に設けた一つの案内部材を配置するようにしたので、複数のクリップ状コンタクト端子のそれぞれの開口部の位置ずれを無くすことができる。
また、ソケットハウジングに、クリップ状コンタクト端子を一体形成し、クリップ状コンタクト端子の弾性舌片の先端が、ソケットハウジングの上面から突出するように形成し、この突出部をソケットハウジングに装着されるプラグケース内に突出して配置するようにしたことから、クリップ状コンタクト端子の突出部をプラグケース内にオーバーラップさせたので、クリップ状コンタクト端子の高さを低くすることなく弾性力を維持したままで、ソケットハウジングとプラグケースとの結合時の高さを低くすることができ、コネクタの薄型化が図れる。
また、案内部材は、クリップ状コンタクト端子の一対の弾性舌片の先端側から装着されて、ソケットハウジングの上面側に取り付けられることから、案内部材をクリップ状コンタクト端子の開口部に後から装着できるため、クリップ状コンタクト端子の位置ずれを容易に補正することができる。
【発明を実施するための最良の形態】
【００１３】
以下、本発明の基板間接続用コネクタの実施形態を図１乃至図７に示す。図１は本発明の基板間接続用コネクタの分解斜視図、図２は本発明の基板間接続用コネクタの案内部材装着時の分解斜視図、図３は本発明の基板間接続用コネクタの結合時の斜視図、図４は図３の４−４線における断面図、図５は図４の結合前の断面図、図６は図３の６−６線における断面図、図７は図６の結合前の断面図である。
【００１４】
図において、プラグケース１は合成樹脂等の絶縁材で下面が開口された方形状の箱型に形成されている。このプラグケース１は、上板１ａとこの上板１ａの四辺から垂下された４個の側板１ｂとを有しており、この側板１ｂの略中央には方形状の係止孔１ｃが設けられている。各側板１ｂはそれぞれが分離されて弾性を有しており、この弾性により各係止孔１ｃに後述するソケットハウジング３の係止突起３ｃがスナップ係合されるものとなっている。
【００１５】
また、上板１ａには、導電性の金属板からなる複数の棒状コンタクト端子２がインサート成形等の方法により一体に埋設されている。この棒状コンタクト端子２の一端がプラグケース１の開口内すなわち上板１ａの下面側に突出されて、後述するクリップ状コネクタ端子４の接点部４ｃと接触係合する接触部２ａが形成されており、他端が上板１ａの上面側に導出されて、電子機器等の回路基板（図示せず）と接続される接続部２ｂが形成されている。
【００１６】
ソケットハウジング３は、同じく合成樹脂等の絶縁材で上面が開口された方形状の箱型に形成されている。このソケットハウジング３は、底板３ａとこの底板３ａの四辺から直立された側板３ｂとにより囲まれた収納部３ｃを有しており、この側版３ｂの外面上方の略中央には、外方へ突出した係止突起３ｄがそれぞれ設けられている。この係止突起３ｄが前記プラグケース１の各側板１ｂに設けられた前記係止孔１ｃとスナップ係合してソケットハウジング３とプラグケース１が結合されるものとなる。
【００１７】
また、収納部３ｃ内の底板３ａには、同じく導電性の金属板からなる複数のクリップ状コンタクト端子４がインサート成形等の方法により一体に埋設されている。このクリップ状コンタクト端子４は、ソケットハウジング３の収納部３ｃ内に立設された一対の弾性舌片４ａ、４ａが対向して形成されており、各弾性舌片４ａ、４ａの先端には外方へ略Ｌ字状に屈曲された開口部４ｂが形成されている。また、この開口部４ｂに連設して、接点部４ｃが対向して設けられており、この接点部４ｃ、４ｃ間に前記棒状コンタクト端子２の接触部２ａが挿入されて接触嵌合されるものとなっている。
【００１８】
また、前記クリップ状コンタクト端子４の他端は、前記ソケットハウジング３の底板３ａの底面側に導出されており、電子機器等の他の回路基板（図示せず）と接続される接続部４ｄが形成されている。すなわち、電子機器等の回路基板と他の回路基板間が、ソケットハウジング３のクリップ状コンタクト端子４とプラグケース１の棒状コンタクト端子２を介して接続されるものとなっている。
【００１９】
尚、本実施例では、クリップ状コンタクト端子４及び棒状コンタクト端子２はそれぞれ２列並設されて形成されている。また、前記ソケットハウジング３の対向する一方の側板１ｂ、１ｂの上端には、底板３ａに並設されたクリップ状コンタクト端子４の各列に沿った線上に切溝３ｅが形成されている。この切溝３ｅに後述する案内部材５が係合されるものとなっている。
【００２０】
また、ソケットハウジング３の底板３ａに、クリップ状コンタクト端子４をインサート成形等の方法で一体形成する際には、クリップ状コンタクト端子４の弾性舌片４ａの先端の一部が、ソケットハウジング３の収納部３ｃの上面から上方へ突出するように形成されている。そして、このクリップ状コンタクト端子４の突出部分が、ソケットハウジング３に装着されるプラグケース１の開口内に突出して配置されるようになっている。
【００２１】
このように、ソケットハウジング３の上面から突出したクリップ状コンタクト端子４の突出部分を、プラグケース１内にオーバーラップさせたので、クリップ状コンタクト端子４の高さを低くすることなく弾性力を維持したままで、ソケットハウジング３とプラグケース１との結合時の高さを低くすることができ、コネクタの薄型化が図れるものとなっている。
【００２２】
案内部材５は、合成樹脂等の絶縁材からなり、長尺方形状の基部５ａと、この基部５ａの両端側に設けられた係合部５ｂ及び係止部５ｃとを有している。案内部材５は、前記ソケットハウジング３の収納部３ｃの開口端側から装着され、係合部５ｂが前記側板１ｂ上端に設けられた切溝３ｅに係合され、係止部５ｃが前記側板１ｂの内壁面に沿って配置されることで、係合部５ｂと係止部５ｃとで位置決めされてソケットハウジング３に取付けられるものとなる。
【００２３】
すなわち、案内部材５は、クリップ状コンタクト端子４の一対の弾性舌片４ａ、４ａの先端側から装着されて、ソケットハウジング３の上面側に取り付けられるものとなる。このように、案内部材５をクリップ状コンタクト端子４の開口部４ｂに後から装着できるため、クリップ状コンタクト端子４の位置ずれを容易に補正することができる。
【００２４】
また、案内部材５の基部５ａの上面には、互いに対向した状態で上端側へ拡開する傾斜面５ｅを有するガイド部５ｄが、複数突出して設けられており、また、このガイド部５ｄに連設して中央下端側へ貫通する開口部５ｆが複数設けられている。そして、この案内部材５が、クリップ状コンタクト端子４の先端の開口部４ｂに配置されるものとなっており、この時、案内部材５のガイド部５ｄが、クリップ状コンタクト端子４の一対の弾性舌片４ａ、４ａの先端の開口部４ｂの内側に配設されると共に、案内部材５の開口部５ｆの下方にクリップ状コンタクト端子４の接点部４ｃが配設されるものとなる。
【００２５】
また、前記案内部材５には、傾斜面５ｅを有するガイド部５ｄ及び開口部５ｆが複数個一体に形成されており、この一つの案内部材５が複数のクリップ状コンタクト端子４間に跨った状態で配置されている。尚、本実施例では案内部材５は２個設けられ、クリップ状コンタクト端子４に合わせて２列並設されて配設されている。
【００２６】
このように、絶縁材からなる案内部材５に、ガイド部５ｄ及び開口部５ｆを複数個一体に形成し、案内部材５を複数のクリップ状コンタクト端子４間に跨った状態で配置したことから、複数のクリップ状コンタクト端子４に、複数のガイド部５ｄ及び開口部５ｆを一体に設けた一つの案内部材５を配置するようにしたので、複数のクリップ状コンタクト端子４のそれぞれの開口部４ｂ間の位置ずれを無くすことができるものとなる。
【００２７】
次に、図４乃至図７を用いて、上記構成の基板間接続用コネクタを結合させる場合について説明する。まず、図５、図７に示すように、プラグケース１とソケットハウジング３の互いの開口部を対向させて位置させ、棒状コンタクト端子２とクリップ状コンタクト端子４を対向させた状態で、互いを結合させる方向へ押し込む。
【００２８】
この時、棒状コンタクト端子２の接触部２ａが、案内部材５のガイド部５ｄに設けられた拡開する傾斜面５ｅに案内されて、ガイド部５ｄの下方に連設された開口部５ｆへと移動するものとなる。そして、接触部２ａが開口部５ｆの下方に配設されたクリップ状コンタクト端子４の接点部４ｃ、４ｃと接触嵌合して、図４、図６に示す結合状態となる。この時、プラグケース１とソケットハウジング３とは、互いの側板１ｂ、３ｂに設けられた、係止孔１ｃと係止突起３ｄとがそれぞれスナップ係合して一体的に結合されるものとなる。
【００２９】
この時、ソケットハウジング３に配設された複数のクリップ状コンタクト端子４は、案内部材５のガイド部５ｄによって各コンタクト間の位置ずれが補正されており、また、傾斜面５ｅによって棒状コンタクト端子２の接触部２ａの挿入が案内されるので、スムーズな挿入が行なわれ、コンタクト間の接触不良の発生が防止でき、高い接触信頼性が得られるものとなっている。
【００３０】
上記した本発明の実施例によれば、棒状コンタクト端子２をクリップ状コンタクト端子４の接点部４ｃに案内する案内部材５に、互いに対向して上端側へ拡開する傾斜面５ｅを有するガイド部５ｄと、このガイド部５ｄに連設して下端側へ貫通する開口部５ｆを設け、この開口部５ｆの下方にクリップ状コンタクト端子４の接点部４ｃを配設すると共に、ガイド部５ｄをクリップ状コンタクト端子４の開口部４ｂに配設したことから、プラグケース１の棒状コンタクト端子２と接触嵌合されるクリップ状コンタクト端子４の開口部４ｂに、傾斜面５ｅを有するガイド部５ｄが設けられた案内部材５を配置したので、案内部材５にガイドされた棒状コンタクト端子２は、確実にクリップ状コンタクト端子４の接点部４ｃ、４ｃ間に案内されるため、確実な接触嵌合が得られるものとなっている。
【図面の簡単な説明】
【００３１】
【図１】本発明の基板間接続用コネクタを示す分解斜視図である。
【図２】本発明の基板間接続用コネクタの案内部材装着時を示す分解斜視図である。
【図３】本発明の基板間接続用コネクタの結合時を示す斜視図である。
【図４】本発明の図３の４−４線における断面図である。
【図５】本発明の図４の結合前の断面図である。
【図６】本発明の図３の６−６線における断面図である。
【図７】本発明の図６の結合前の断面図である。
【図８】従来の基板間接続用コネクタの雄型端子と雌型端子の嵌合状態を示す断面図である。
【図９】従来の雌型端子の先端断面図である。
【符号の説明】
【００３２】
１：ハウジング
１ａ：上板
１ｂ：側板
１ｃ：係止孔
２：棒状コンタクト端子
２ａ：接触部
２ｂ：接続部
３：ソケットハウジング
３ａ：底板
３ｂ：側板
３ｃ：収納部
３ｄ：係止突起
３ｅ：切溝
４：クリップ状コンタクト端子
４ａ：弾性舌片
４ｂ：開口部
４ｃ：接点部
４ｄ：接続部
５：案内部材
５ａ：基部
５ｂ：係合部
５ｃ：係止部
５ｄ：ガイド部
５ｅ：傾斜面
５ｆ：開口部
【図１】
2006073372.tif 000003
【図２】
2006073372.tif 000004
【図３】
2006073372.tif 000005
【図４】
2006073372.tif 000006
【図５】
2006073372.tif 000007
【図６】
2006073372.tif 000008
【図７】
2006073372.tif 000009
【図８】
2006073372.tif 000010
【図９】
2006073372.tif 000011